(57)【特許請求の範囲】
【請求項１】
エレベータシャフトの下部に異形シャフトが接続され、この異形シャフトは上半部は偏心した傘型をなし、下半部は前記傘型の下部に続く円筒形に形成され、かつこの円筒部の中心が前記エレベータシャフトの下部においてエレベータシャフトの中心に対し偏心して接続され、この異形シャフトの下部に下部マンロックを接続し、下部マンロックの下方にはスラブを介し作業室が設けられ、かつエレベータ着床部を前記異形シャフト内に設け、前記異形シャフトの内部における直径方向の一半部に、エレベータシャフトに連通するエレベータ昇降通路を設け、他略半部にはエレベータホールを確保し、エレベータ着床部にはステージを設けるとともに、作業員がステージを通って、エレベータの一側部に設けられた出入り口とエレベータホール間を通行可能に構成し、
前記エレベータホールから下部マンロックに、ハッチを有するマンホールを設けた、ことを特徴とするニューマチックケーソンにおける作業員用昇降設備。
【請求項２】
前記エレベータ昇降通路の周りに、エレベータ囲いを取り付け、このエレベータ囲いにおけるエレベータの出入り口に対応する位置に、外ドアを設けたことを特徴とする請求項１記載のニューマチックケーソンにおける作業員用昇降設備。
【請求項３】
前記エレベータホールと下部マンロック内の圧力室間、圧力室と下部マンロック内のトランクルーム間に、ハッチを有するマンホールをそれぞれ上下方向に千鳥状に設け、さらに前記圧力室の内壁、トランクルームの内壁および前記トランクルームの下方に位置し、かつ前記作業室の上方に位置する前記スラブに設けられ、前記下部マンロックに接続しているアンカリングの内壁に、ステップをそれぞれ上下方向に千鳥状に取り付けたことを特徴とする請求項１記載のニューマチックケーソンにおける作業員用昇降設備。
【発明の詳細な説明】
【０００１】
【発明の属する技術分野】
本発明は、作業員が作業室に出入りするためのニューマチックケーソンにおける作業員用昇降設備に関する。
【０００２】
【従来の技術】
従来、作業員がニューマチックケーソンの作業室に出入りする設備として、マンシャフトの上部にマンロックを設け、マンシャフトの内部にタラップまたは螺旋階段を設け、マンロックの下部にハッチを設けた昇降設備がある。
【０００３】
この従来の昇降設備では、マンロック内を加圧し、マンロック内が作業室内と同圧になったとき、マンロック下部のハッチを開け、作業員がタラップまたは螺旋階段を利用して作業室に下りるようにしている。
【０００４】
また、他の従来の昇降設備として、大深度のニューマチックケーソンではマンシャフトの上部と、スラブ上に設けられたマンロックの間にエレベータシャフトを備え、下部マンロックのエレベータ着床部の床に、ハッチを有するマンホールを設けている。
【０００５】
そして、この従来の昇降設備では圧気下でエレベータを昇降させ、作業員がエレベータの床に設けられたハッチを開け、マンホールからマンロックに下りるようにしている。
【０００６】
さらに、他の従来の昇降設備として、スラブの上部に複数室を持ったマンロックを設け、マンロックの上部にエレベータシャフトを備え、このエレベータシャフトの下部にマンホールを設けている。
【０００７】
しかして、この従来の昇降設備ではエレベータシャフト内を大気圧にしてエレベータを昇降させ、作業員がエレベータシャフトの下部に設けられたマンホールからマンロックに下りるようにしている。
【０００８】
ところで、図６はエレベータシャフトの下部に、下部マンロックを接続してなる従来の昇降設備の縦断側面図、図７は図６のＣ−Ｃ線横断拡大平面図である。
【０００９】
これら図６，図７に示す従来の昇降設備では、上部マンロック（図示せず）と、この上部マンロックの下部に接続されたエレベータシャフト５と、このエレベータシャフト５の下部に接続された截頭円錐型シャフト６と、これの下部に接続された下部マンロック７と、スラブ２に設けられかつ下部マンロック７を接続しているアンカリング８等を備えている。
【００１０】
前記エレベータシャフト５には、エレベータ９が配置されている。このエレベータ９は、エレベータシャフト５内に固定されたレール１２に、車輪１３を介して昇降自在に取り付けられている。また、エレベータ９の床１０には、ハッチ１１が設けられている。
【００１１】
前記截頭円錐型シャフト６の内部には、作業員用の出入り室１４が形成されている。
【００１２】
前記下部マンロック７の内部には、上半部に圧力室１６が設けられ、下半部にはトランクルーム１８が設けられている。
【００１３】
前記作業員用の出入り室１４と圧力室１６間には、フロア１５が設けられている。このフロア１５には、作業員が圧力室１６に出入りするためのマンホール１９が形成されており、このマンホール１９にはハッチ２０が設けられている。
【００１４】
前記圧力室１６の内壁には、ステップ２３が取り付けられている。
【００１５】
前記圧力室１６とトランクルーム１８間には、フロア１７が設けられている。このフロア１７には、作業員がトランクルーム１８に出入りするためのマンホール２１が形成されており、このマンホール２１にはハッチ２２が設けられている。
【００１６】
前記トランクルーム１８の内壁にも、ステップ２４が取り付けられている。
【００１７】
前記アンカリング８の内壁にも、ステップ２５が取り付けられている。
【００１８】
前記マンホール１９とハッチ２０の組、およびマンホール２１とハッチ２２の組は、当該フロア１５，１７における円周方向の同じ位置２６に設けられている。また、ステップ２３，２４，２５も当該圧力室１６およびトランクルーム１８ならびにアンカリング８の各内壁における当該マンホール１９，２１の近傍で、かつ円周方向の同じ位置２７に取り付けられている。
【００１９】
そして、この従来の昇降設備では、作業員が作業室３に入るときは、エレベータシャフト５、截頭円錐型シャフト６内の作業員用の出入り室１４、および下部マンロック７の圧力室１６内の圧力を大気圧にする。
【００２０】
作業員は、エレベータシャフト５内を昇降するエレベータ９に乗ってエレベータシャフト５の下部の着床位置まで下りる。
【００２１】
次に、作業員はエレベータ９の床１０に設けられたハッチ１１を開け、截頭円錐型シャフト６内の作業員用の出入り室１４のフロア１５に下りる。
【００２２】
ついで、マンホール１９のハッチ２０を開け、作業員はマンホール１９から出て圧力室１６内に入り、ステップ２３をつたい、圧力室１６のフロア１７に下り、マンホール１９のハッチ２０を閉じる。
【００２３】
そして、圧力室１６に設けられた送気バルブ（図示せず）を通じて圧力室１６内に送気し、圧力室１６内をトランクルーム１８、アンカリング８および作業室３内の圧力まで昇圧する。
【００２４】
圧力室１６内がトランクルーム１８、アンカリング８および作業室３内の圧力と同圧になったとき、作業員はマンホール２１のハッチ２２を開け、マンホール２１からトランクルーム１８内に入り、マンホール２１のハッチ２２を閉じ、ついでステップ２４をつたい、アンカリング８内に入り、ステップ２５をつたい、さらにアンカリング８の下部と作業室３間に掛け渡された梯子（図示せず）を使って作業室３に下りる。
【００２５】
【発明が解決しようとする課題】
前記従来技術のうち、マンシャフトの内部にタラップまたは螺旋階段を設け、作業員がこれらタラップまたは螺旋階段をつたって昇降する設備は、大深度のケーソンでは健康管理上あまり好ましくなく、採用されていない。
【００２６】
一方、図６および図７に示すごとく、作業員の昇降にエレベータ９を利用する従来の昇降設備は、エレベータシャフト５および截頭円錐型シャフト６ならびに下部マンロック７が同一中心線上に設けられているため、その構造上、エレベータ着床部の周囲の床面積を広く取ることができず、したがってエレベータ９の床１０にハッチ１１を設け、作業員がこのハッチ１１から出入りするようにしている。その結果、作業員が狭いエレベータ９内でハッチ１１を開け、小さなマンホールから出入りすることになり、苦痛を伴うばかりでなく、安全上の点でも好ましくなかった。
【００２７】
また、図６および図７に示す従来の昇降設備では、作業員用の出入り室１４から圧力室１６に通じるマンホール１９とハッチ２０の組、および圧力室１６からトランクルーム１８に通じるマンホール２１とハッチ２２の組とが円周方向の同じ位置２６に設けられ、かつ圧力室１６、トランクルーム１８およびアンカリング８の各内壁にステップ２３，２４，２５が円周方向の同じ位置２７に取り付けられているため、作業員が転落したり、工具類が落下したとき、その距離が長くなる可能性があり、この点でも安全性に課題があった。
【００２８】
本発明は、上記の事情に鑑みなされたもので、その目的とするところは、エレベータ着床部の床面積を広くとることができるようにし、使い勝手がよく、作業員がエレベータに安全に乗降し得、かつエレベータホールと下部のトランクルーム間を作業者が安全に出入りできるニューマチックケーソンにおける作業員用昇降設備を提供することにある。
【００２９】
前記目的を達成するため、本発明ではエレベータシャフトの下部に、異形シャフトをエレベータシャフトの中心に対して偏心させて接続し、この異形シャフトの下部に、下部マンロックを接続して構成したことに特徴を有している。すなわち、異形シャフトの形状は、上半部は偏心した傘型をなし、下半部は傘型の下部に続く円筒形に形成され、この円筒部の中心がエレベータシャフトの下部においてエレベータシャフトの中心に対し偏心して接続され、異形シャフトの下部に下部マンロックを接続している。
【００３０】
また、前記異形シャフトの内部における直径方向の一半部に、エレベータシャフトに連通するエレベータ昇降通路を設け、他略半部にはエレベータホールを確保し、エレベータ着床部にはステージを設けるとともに、作業員がステージを通って、エレベータの一側部に設けられた出入り口とエレベータホール間を通行可能に構成し、前記エレベータホールから下部マンロックに、ハッチを有するマンホールを設けている。
【００３１】
さらに、前記目的を達成するため、本発明では前記エレベータ昇降通路の周りに、エレベータ囲いを取り付け、このエレベータ囲いにおけるエレベータの出入り口に対応する位置に、外ドアを設けている。
【００３２】
さらにまた、前記目的を達成するため、本発明では前記エレベータホールと下部マンロック内の圧力空間、圧力室と下部マンロック内のトランクルーム間に、ハッチを有するマンホールをそれぞれ上下方向に千鳥状に設け、さらに前記圧力室の内壁、トランクルームの内壁および前記トランクルームの下方に位置し、かつ作業室の上方に位置するスラブに設けられ、前記下部マンロックに接続しているアンカリングの内壁に、ステップをそれぞれ上下方向に千鳥状に取り付けている。
【００３３】
【発明の実施の形態】
以下、本発明の実施例を図面に基づいて説明する。
【００３４】
図１〜図４は本発明の実施例１を示すもので、図１は縦断側面図、図２は図１のＡ−Ａ線横断拡大平面図、図３は図１のＢ−Ｂ線横断拡大平面図、図４はエレベータの一側部に設けられた出入り口のエレベータドアと、エレベータ囲いに設けられた外ドアを開いた状態における横断拡大平面図である。
【００３５】
これら図１〜図４に示す実施例１では、ニューマチックケーソンはケーソン本体１と、スラブ２と、作業室３と、作業員用の昇降設備３０と、マテリアルシャフト（図示せず）等を備えて構成されている。前記作業室３の天井であるスラブ２の下面には、掘削機（図示せず）の走行レール４が架設されている。
【００３６】
前記掘削機は、作業室３の地盤Ｇを掘削し、その掘削土砂を掘削バケット（図示せず）に入れる。土砂バケットは、掘削土砂をマテリアルロック（図示せず）を通じて地上に吊り上げ、排土する。
【００３７】
前記作業員用の昇降設備３０は、上部マンロック（図示せず）と、これの下部に接続されたエレベータシャフト３１と、このエレベータシャフト３１の下部に接続された異形シャフト３２と、この異形シャフト３２の下部に接続された下部マンロック３３と、スラブ２に設けられかつ下部マンロック３３を接続しているアンカリング３４とを備えている。
【００３８】
前記異形シャフト３２は、図１および図２から分かるように、上半部は偏心した傘型に形成され、下半部は前記傘型の下部に続く円筒型に形成されている。また、異形シャフト３２はその中心が、前記エレベータシャフト３１の下部においてこのエレベータシャフト３１の中心に対して偏心させて接続されている。すなわち、異形シャフト３２の傘型上部とエレベータシャフト３１とは円弧の一部が接する形状をなし、かつ両者の接続部分の径はほぼ同一に形成され、また、傘型部分の下方の径は順次拡径し、かつ円筒部分の直径はエレベータシャフト３１の径より大に形成され、この円筒部分の径の中心とエレベータシャフト３１の径の中心とはズレて偏心している。さらに、異形シャフト３２の下方の底部にはエレベータ着床部が設けられている。また、異形シャフト３２の内部の直径方向の一半部に、エレベータシャフト３１に連通するエレベータ昇降通路３５が設けられており、他略半部にはエレベータホール３６が確保されている。そして、エレベータ昇降通路３５下方のエレベータ着床部には、ステージ３７が設けられている。また、ステージ３７の端部には必要に応じステップ３７’が設けられる。なお、エレベータ着床部は、エレベータホール３６、ステージ３７、後述する作業員の出入り口３９（図２、図３、図４参照）等にて構成されている。
【００３９】
上記構成において、異形シャフト３２の円筒部分の径はエレベータシャフト３１の径に対し偏心し、かつ大に形成されているため、エレベータ着床部の床面積を充分確保できる。また、偏心させて取付けているが、図２や後述の実施例２の図５に示すように、エレベータシャフトと異形シャフトの一方の側（図示例では左側）をほぼ面一とし、一方の側のケーソン本体内の空間を広くとることができるなどし、スペースの有効利用を適宜図ることができるようにしている。
【００４０】
前記エレベータシャフト３１とエレベータ昇降通路３５にわたって、エレベータレール４１が架設されている。このエレベータレール４１には、車輪４２を介してエレベータ３８が昇降自在に装架されている。このエレベータ３８には、図２に示すように、一側部に作業員の出入り口３９が設けられており、この出入り口３９にはエレベータドア４０が取り付けられている。
【００４１】
また、図１、および詳しくは図３、図４に示すように、前記エレベータ昇降通路３５の周りには、エレベータ囲い４３が取り付けられている。このエレベータ囲い４３におけるエレベータ３８の出入り口３９に対応する位置には、外ドア４４が設けられている。
【００４２】
そして、エレベータ昇降通路３５の下部であるエレベータ着床部にエレベータ３８が着停したとき、エレベータ３８の出入り口３９に取り付けられたエレベータドア４０、およびエレベータ囲い４３に設けられた外ドア４４が開けられ、作業員は図４に矢印ａで示すように、エレベータ３８に設けられた出入り口３９からステージ３７を経てエレベータホール３６に通行可能に構成されている。
【００４３】
また、図１に示すように、前記下部マンロック３３は異形シャフト３２の下方に連設され、その中心はエレベータシャフト３１と偏心させている。この下部マンロック３３内は、上部より下部に向かって、順次第１圧力室４５と、第２圧力室４６と、トランクルーム４７とが区画・形成されている。
【００４４】
前記第１圧力室４５の上部には、フロア４８が敷設されている。このフロア４８における上方に設けられた前記エレベータホール３６に対応する位置には、エレベータホール３６と第１圧力室４５と間を作業員が出入自在なマンホール４９が設けられている。このように本発明ではエレベータ着床部の床面積を広くとることができるため、適宜の位置にマンホール４９を設けることができ、かつその形状、大きさも許容範囲内において任意に設計し得る。なお、周知のように、このマンホール４９は、開閉自在なハッチ５０を備えている。また、第１圧力室４５の内壁におけるマンホール４９の近傍には、ステップ５１が取り付けられている。
【００４５】
前記第１圧力室４５の下部には、フロア５２が設けられている。このフロア５２には、第１，第２圧力室４５，４６間を連通可能なマンホール５３が設けられている。このマンホール５３も開閉自在なハッチ５０を備えている。さらに、第２圧力室４６の内壁におけるマンホール５３の近傍には、ステップ５５が取り付けられている。
【００４６】
前記第２圧力室４６の底部には、フロア５６が敷設されている。このフロア５６には、第２圧力室４６とこの第２圧力室４６の下方に設けられたトランクルーム４７間を作業員が出入自在なマンホール５７が設けられている。このマンホール５７は、ハッチ５８を備えている。そして、トランクルーム４７の内壁におけるマンホール５７の近傍には、ステップ５９が取り付けられている。
【００４７】
前記トランクルーム４７の下部には、下部ステージ６０が取り付けられている。この下部ステージ６０には、トランクルーム４７とその下方のアンカリング３４間を出入自在なマンホール６１が設けられている。
【００４８】
前記トランクルーム４７の下部からアンカリング３４にわたる内壁には、トランクルーム４７に設けられたマンホール６１の近傍に、ステップ６２が取り付けられ、作業員がその下方の作業室３に出入自在になっている。
【００４９】
そして、前記第１圧力室４５内の前記マンホール４９とハッチ５０の組、第２圧力室４６内のマンホール５３とハッチ５４の組、トランクルーム４７内のマンホール５７とハッチ５８の組、アンカリング３４へ通じるマンホール６１とは、図１から分かるように、それぞれ上下方向において千鳥状に配置されている。さらに、前記ステップ５１，５５，５９，６２も、それぞれ上下方向において千鳥状に取り付けられている。
【００５０】
なお、第１，第２圧力室４５，４６には、それぞれ送気管に設けられた送気バルブと、排気管に設けられた排気バルブとが配備されているが、図面では省略されている。
【００５１】
前述のごとく構成された実施例１の昇降設備３０では、作業員が作業室３に入るときは、上部マンロック（図示せず）からエレベータ３８に乗り込む。
【００５２】
作業員がエレベータ３８に乗り込んだ後、エレベータレール４１に沿って、大気圧中のエレベータシャフト３１内を通り、異形シャフト３２のエレベータ昇降通路３５に入り、異形シャフト３２底部のエレベータ着床部まで下降し、着停する。
【００５３】
エレベータ３８がその着床部に着停したとき、エレベータ３８の一側部に設けられた出入り口３９に取り付けられたエレベータドア４０と、エレベータ囲い４３に設けられた外ドア４４が開く。
【００５４】
前記エレベータドア４０と外ドア４４が開いたとき、作業員はエレベータ３８の出入り口３９からステージ３７と、必要に応じ設けることがあるステップ３７’を経てエレベータホール３６に入る。
【００５５】
ついで、フロア４８に設けられたマンホール４９のハッチ５０を開け、作業員はエレベータホール３６から第１圧力室４５に入り、ステップ５１をつたい、フロア５２に下り、マンホール４９のハッチ５０を閉める。そして、第１圧力室４５に設けられた送気バルブを開け、第１圧力室４５を第２圧力室４６の圧力まで昇圧させる。
【００５６】
前記第１圧力室４５が第２圧力室４６と同圧になったとき、作業員はフロア５２に設けられたマンホール５３に回り、ハッチ５４を開け、第１圧力室４５から第２圧力室４６に入り、ステップ５５をつたってフロア５６に下り、マンホール５３のハッチ５４を閉める。そして、第２圧力室４６に設けられた送気バルブを開け、第２圧力室４６をトランクルーム４７および作業室３内の圧力まで上昇させる。
【００５７】
前記第２圧力室４６の圧力がトランクルーム４７および作業室３内の圧力と同圧になったとき、作業員はフロア５６に設けられたマンホール５７に回り、ハッチ５８を開け、ステップ５９をつたい、下部ステージ６０に下りる。ついで、マンホール５７のハッチ５８を閉める。
【００５８】
続いて、作業員は下部ステージ６０に設けられたマンホール６１に回り、このマンホール６１からアンカリング３４内に入り、ステップ６２をつたってアンカリング３４の下部まで下りる。そして、あらかじめ作業室３とアンカリング３４間に掛け渡された梯子（図示せず）を渡って作業室３に下りる。
【００５９】
作業員が作業室３内で所要作業を行った後、上部マンロックまで上がるときは、作業室３とアンカリング３４間に掛け渡された梯子を使ってアンカリング３４内に入る。ついで、アンカリング３４に取り付けられたステップ６２をつたって上り、下部ステージ６０に設けられたマンホール６１からトランクルーム４７に入る。
【００６０】
ついで、フロア５６に設けられたマンホール５７のハッチ５８を開け、作業員はステップ５９に回り、このステップ５９をつたい、マンホール５７を通って第２圧力室４６に入り、ハッチ５８を閉める。そして、第２圧力室４６に設けられた排気バルブを開き、第２圧力室４６の圧力を第１圧力室４５の圧力まで減圧する。
【００６１】
前記第２圧力室４６が第１圧力室４５内の圧力と同圧になったとき、フロア５２に設けられたマンホール５３のハッチ５４を開け、作業員はステップ５５に回り、このステップ５５をつたって上り、マンホール５３から第１圧力室４５に入り、ハッチ５４を閉める。そして、第１圧力室４５に設けられた排気バルブを開け、第１圧力室４５内を大気圧まで減圧する。
【００６２】
前記第１圧力室４５を大気圧まで減圧した後、フロア４８に設けられたマンホール４９のハッチ５０を開け、作業員はステップ５１に回り、このステップ５１を上り、マンホール４９を通り、異形シャフト３２内に確保されたエレベータホール３６に入り、ハッチ５０を閉める。
【００６３】
そして、作業員はエレベータホール３６から、異形シャフト３２内に設けられたステージ３７に回り、エレベータ囲い４３に設けられかつ開状態で待機中の外ドア４４を通り、エレベータ３８の出入り口３９に取り付けられかつ開状態で待機中のエレベータドア４０を通り、出入り口３９を通って、エレベータ着床部で待機中のエレベータ３８に乗り込む。ついで、外ドア４４およびエレベータドア４０を閉める。その後、作業員を乗せたエレベータ３８をエレベータレール４１に沿って、異形シャフト３２に設けられたエレベータ昇降通路３５およびエレベータシャフト３１内を上昇させ、作業員を上部マンロックまで運び、エレベータドア４０を開け、エレベータ３８から作業員を下ろす。
【００６４】
以上説明したこの実施例１の昇降設備３０によれば、エレベータシャフト３１の下部に、底部にエレベータ着床部が設けられた異形シャフト３２をエレベータシャフト３１の中心に対して偏心させて接続している。また、この異形シャフト３２の内部の直径方向の一半部には、エレベータシャフト３１に連通するエレベータ昇降通路３５を設け、他略半部にはエレベータホール３６を確保し、エレベータ着床部にはステップ３７’を設けることもあるステージ３７を設け、作業員がステージ３７を介して、エレベータ３８の一側部に設けられた出入り口３９と、エレベータホール３６間を自由に通行可能に構成しているので、使い勝手がよく、しかも作業員がエレベータ３８に安全に乗降することができる。また、エレベータホール３６から、ハッチ５０を有するマンホール４９を通じて下部マンロック３３に出入り可能に構成しているので、作業員がエレベータホール３６と下部マンロック３３間を、より一層安全に出入りすることができる。
【００６５】
さらに、この実施例１の昇降設備３０では、エレベータ昇降通路３５の周りに、エレベータ囲い４３を取り付け、このエレベータ囲い４３におけるエレベータ３８の出入り口３９に対応する位置に外ドア４４を設けているので、異形シャフト３２内に出入りする作業員の安全性を、より一層高めることができる。
【００６６】
そして、この実施例１の昇降設備３０では、エレベータホール３６と下部マンロック３３内の第１圧力室４５間、第１圧力室４５と第２圧力室４６間、第２圧力室４６とトランクルーム４７間、トランクルーム４７とスラブ２に設けられたアンカリング３４間に、それぞれマンホール４９，５３，５７，６１を上下方向に千鳥状に設け、さらに第１圧力室４５、第２圧力室４６の内壁、トランクルーム４７の内壁およびアンカリング３４の内壁に、それぞれステップ５１，５５，５９，６２を上下方向に千鳥状に取り付けているので、作業員が転落したり、作業員が工具類を落下させたような場合であっても、それぞれの室内にとどめることができ、危険を最小限に抑えることができる。
【００６７】
しかも、この実施例１の昇降設備３０では、下部マンロック３３内に、上部から下部に向かって、順次第１圧力室４５と、第２圧力室４６と、トランクルーム４７とを区画・形成し、作業員が下部マンロック３３からアンカリング３４を経て作業室３内に入るときは、まず作業員が第１圧力室４５内に入ったとき、第１圧力室４５の圧力を第２圧力室４６の圧力まで昇圧し、第１圧力室４５から第２圧力室４６に移ったとき、第２圧力室４６の圧力をトランクルーム４７および作業室３の圧力まで昇圧し、その後作業員がトランクルーム４７→アンカリング３４→作業室３に移るようにしている。また、作業員が作業室３からアンカリング３４を通って第１圧力室４５まで上るときは、作業員が作業室３→アンカリング３４→トランクルーム４７を経て第２圧力室４６に入ったとき、第２圧力室４６の圧力を第１圧力室４５の圧力まで減圧し、第２圧力室４６から第１圧力室４５に移ったとき、第１圧力室４５の圧力を大気圧まで減圧し、この第１圧力室４５から大気圧のエレベータホール３６に移るようにしている。したがって、作業員の健康管理上、きわめて有効である。
【００６８】
次に、図５は本発明の実施例２を示す縦断側面図であり、この実施例では、圧力室を一つとして全体構成の簡易化を図っている。
【００６９】
すなわち、この図５に示す実施例２の昇降設備３０では、底部にエレベータ着床部を有する異形シャフト３２の下方に、下部マンロック６３が接続されている。この下部マンロック６３の下方は、さらにスラブ２に設けられたアンカリング３４に接続されている。
【００７０】
前記下部マンロック６３には、上部に圧力室６４が区画・形成され、この圧力室６４の下部にトランクルーム６５が区画・形成されている。
【００７１】
前記圧力室６４の上部には、フロア６６が敷設されている。このフロア６６における異形シャフト３２内のエレベータホール３６に対応する位置には、エレベータホール３６と圧力室６４間を連通可能なマンホール６７が設けられている。このマンホール６７は、開閉自在なハッチ６８を備えている。また、圧力室６４の内壁におけるマンホール６７の近傍には、ステップ６９が取り付けられている。
【００７２】
前記圧力室６４の下部には、フロア７０が敷設されている。このフロア７０には、圧力室６４とトランクルーム６５間を連通可能なマンホール７１が設けられている。このマンホール７１は、開閉自在なハッチ７２を備えている。また、トランクルーム６５の内壁におけるマンホール７１の近傍には、ステップ７３が取り付けられている。
【００７３】
前記トランクルーム６５の下部には、下部ステージ７４が設けられている。この下部ステージ７４には、トランクルーム６５とアンカリング３４とを結ぶマンホール７５が設けられている。
【００７４】
さらに、前記トランクルーム６５の下部からアンカリング３４にわたる内壁には、前記マンホール７５の近傍に、ステップ７６が取り付けられている。
【００７５】
そして、この実施例２における昇降設備３０では、作業員がエレベータホール３６から作業室３に下りるときは、圧力室６４を大気圧とし、フロア６６に設けられたマンホール６７のハッチ６８を開け、作業員がマンホール６７から入り、ステップ６９をつたってフロア７０に下りる。ついで、ハッチ６８を閉め、圧力室６４をトランクルーム６５および作業室３の圧力まで昇圧する。
【００７６】
前記圧力室６４がトランクルーム６５および作業室３の圧力と同圧になったとき、フロア７０に設けられたマンホール７１のハッチ７２を開け、作業員がマンホール７１に回り、このマンホール７１からトランクルーム６５に入り、ステップ７３をつたい、下部ステージ７４に下りる。そして、ハッチ７１を閉める。
【００７７】
ついで、作業員は下部ステージ７４に設けられたマンホール７５に回り、ステップ７６をつたってアンカリング３４内に入り、あらかじめ作業室３とアンカリング３４間に掛け渡された梯子（図示せず）を渡って作業室３に下りる。
【００７８】
反対に、作業員が作業室３からエレベータホール３６に上がるときは、作業室３とアンカリング３４間に掛け渡された梯子を上り、アンカリング３４に入り、ついでアンカリング３４に取り付けられたステップ７６をつたい、下部ステージ７４に設けられたマンホール７５を通じてトランクルーム６５に入る。
【００７９】
そして、フロア７０に設けられたマンホール７１のハッチ７２を開け、作業員はステップ７３に回り、このステップ７３をつたい、マンホール７１を通じて圧力室６４に入り、ハッチ７２を閉める。
【００８０】
ついで、圧力室６４を大気圧まで減圧する。
【００８１】
前記圧力室６４が大気圧になったとき、フロア６６に設けられたマンホール６７のハッチ６８を開け、作業員はステップ６９に回り、このステップ６９をつたい、マンホール６７を通じてエレベータホール３６に入り、ハッチ６８を閉める。
【００８２】
以上説明した実施例２の昇降設備３０によれば、下部マンロック６３の構造を簡潔化することができる。
【００８３】
この実施例２の他の構成，作用については、前記実施例１と同様である。
【００８４】
【発明の効果】
以上説明したように、本発明ではエレベータシャフトの下部に、異形シャフトをエレベータシャフトの中心に対して偏心させて接続し、この異形シャフトの下部に、エレベータ着床部を設けた構成としたため、エレベータ着床部の床面積を広くとることができ、着床部に設けるハッチ等の取付位置、大きさ等の設計の自由度、余裕をもたせることができる。
【００８５】
また、下部マンロックを接続し、前記異形シャフトの内部における直径方向の一半部に、エレベータシャフトに連通するエレベータ昇降通路を設け、他半部にはエレベータホールを確保し、エレベータ着床部にはステージを設けるとともに、作業員がステージを通って、エレベータの一側部に設けられた出入り口とエレベータホール間を通行可能に構成しているので、使い勝手がよく、しかも作業員がエレベータに安全に乗降し得る効果を有する外、前記エレベータホールから下部マンロックに、ハッチを有するマンホールを設けているので、作業員がエレベータホールと下部マンロック間を、より一層安全に出入りし得る効果がある。
【００８６】
さらに、本発明では前記エレベータ昇降通路の周りに、エレベータ囲いを取り付け、このエレベータ囲いにおけるエレベータの出入り口に対応する位置に、外ドアを設けているので、異形シャフト内に出入りする作業員の安全性を、より一層高め得る効果がある。
【００８７】
そして、本発明では前記エレベータホールと下部マンロック内の圧力室間、圧力室と下部マンロック内のトランクルーム間に、ハッチを有するマンホールをそれぞれ上下方向に千鳥状に設け、さらに前記圧力室の内壁、トランクルームの内壁およびアンカリングの内壁に、ステップをそれぞれ上下方向に千鳥状に取り付けているので、作業員が転落したり、作業員が工具類を落下させたような場合であっても、それぞれの室内にとどめることができるため、この点でも安全性の向上を図り得る効果がある。
【図面の簡単な説明】
【図１】本発明の実施例１を示す縦断側面図である。
【図２】図１のＡ−Ａ線横断拡大平面図である。
【図３】図１のＢ−Ｂ線横断拡大平面図ある。
【図４】実施例１において、エレベータの一側部に設けられた出入り口のエレベータドアと、エレベータ囲いに設けられた外ドアを開いた状態における横断拡大平面図である。
【図５】本発明の実施例２を示す縦断側面図である。
【図６】エレベータを備えた従来の昇降設備を示す縦断側面図である。
【図７】図６のＣ−Ｃ線横断拡大平面図ある。
【符号の説明】
１    ケーソン本体
２    スラブ
３    作業室
３０  作業員用の昇降設備
３１  エレベータシャフト
３２  異形シャフト
３３  下部マンロック
３４  アンカリング
３５  エレベータ昇降通路
３６  エレベータホール
３７  ステージ
３７’  ステップ
３８  エレベータ
３９  作業員の出入り口
４０  エレベータドア
４１  エレベータレール
４２  車輪
４３  エレベータ囲い
４４  外ドア
４５，４６  第１，第２圧力室
４７  トランクルーム
４８  フロア
４９  マンホール
５０  ハッチ
５１  ステップ
５２  フロア
５３  マンホール
５４  ハッチ
５５  ステップ
５６  フロア
５７  マンホール
５８  ハッチ
５９  ステップ
６０  下部ステージ
６１  マンホール
６２  ステップ
６３  下部マンロック
６４  圧力室
６５  トランクルーム
６６  フロア
６７  マンホール
６８  ハッチ
６９  ステップ
７０  フロア
７１  マンホール
７２  ハッチ
７３  ステップ
７４  下部ステージ
７５  マンホール
７６  ステップ
【図１】
0004416971.tif 000002
【図２】
0004416971.tif 000003
【図３】
0004416971.tif 000004
【図４】
0004416971.tif 000005
【図５】
0004416971.tif 000006
【図６】
0004416971.tif 000007
【図７】
0004416971.tif 000008